(57)【要約】      （修正有）【課題】無線制御高分子分散液晶スマートウィンドウを提供する。【解決手段】無線制御高分子分散液晶スマートウィンドウは、高分子分散液晶複合層１０、制御装置３０、無線受信ユニット４０及び無線発信ユニット５０を含む。制御装置は、高分子分散液晶複合層と電気接続する。無線受信ユニットは、制御装置と電気接続する。無線発信ユニットは、無線受信ユニットと接続する。無線発信ユニットにより制御命令を操作する信号を発信して無線受信ユニットが受信し、無線受信ユニットにより信号を制御装置に伝送して処理した後、制御装置により、高分子分散液晶複合層を駆動し、情報又はパターンを表示する。【選択図】図６
0003208937.tif 000002
【実用新案登録請求の範囲】
【請求項１】
１つ以上の高分子分散液晶複合層と、
該高分子分散液晶複合層と電気接続する制御装置と、
該制御装置と電気接続する無線受信ユニットと、
該無線受信ユニットと接続する無線発信ユニットと、
を含み、そのうち、該無線発信ユニットにより、制御命令を操作する信号を発信して該無線受信ユニットが受信し、該無線発信ユニットにより信号を該制御装置に伝送して処理した後、該制御装置により、該高分子分散液晶複合層を駆動し、情報又はパターンを表示することを特徴とする無線制御高分子分散液晶スマートウィンドウ。
【請求項２】
前記高分子分散液晶複合層は、
一側面に第１硬化層を有する第１軟性フィルムと、
該電気的駆動装置と電気接続し、該第１硬化層の一側面に設けられ、第１回路領域及び第１接線領域を含む第１透明導電層と、
一側面に第２硬化層を有する第２軟性フィルムと、
該電気的駆動装置と電気接続し、該第２硬化層の一側面に設けられ、該第１透明導電層と対応し、該第２回路領域及び第２接線領域を含む第２透明導電層と、
該第１透明導電層及び該第２透明導電層の間に設けられる第１高分子分散液晶複合層と、
を含むことを特徴とする請求項１に記載の無線制御高分子分散液晶スマートウィンドウ。
【請求項３】
前記第１軟性フィルム、該第２軟性フィルムは、透光プラスチック材料であることを特徴とする請求項２に記載の無線制御高分子分散液晶スマートウィンドウ。
【請求項４】
前記透光プラスチック材料は、ポリエチレンテレフタレート、ポリエチレン、ポリイミド、ナイロン、ポリウレタン又はアクリルプラスチック材料であることを特徴とする請求項３に記載の無線制御高分子分散液晶スマートウィンドウ。
【請求項５】
前記第１軟性フィルム、該第２軟性フィルムの厚さは、１０μｍから５００μｍであることを特徴とする請求項２に記載の無線制御高分子分散液晶スマートウィンドウ。
【請求項６】
前記第１硬化層、該第２硬化層は、アクリル、エポキシ樹脂、二酸化ケイ素又は前記２種以上の材料の組み合わせであることを特徴とする請求項２に記載の無線制御高分子分散液晶スマートウィンドウ。
【請求項７】
前記第１硬化層、該第２硬化層の厚さは、１μｍから５μｍであることを特徴とする請求項２に記載の無線制御高分子分散液晶スマートウィンドウ。
【請求項８】
前記第１透明導電層、該第２透明導電層は、無機導体材料又は有機導体材料であることを特徴とする請求項２に記載の無線制御高分子分散液晶スマートウィンドウ。
【請求項９】
前記有機導体材料は、ナノカーボンチューブ又はポリ−３，４−エチレンジオキシチオフェンをドープした導電材料であることを特徴とする請求項８に記載の無線制御高分子分散液晶スマートウィンドウ。
【請求項１０】
前記第１透明導電層、該第２透明導電層の厚さは、５μｍから５０μｍであることを特徴とする請求項２に記載の無線制御高分子分散液晶スマートウィンドウ。
【請求項１１】
前記第１高分子分散液晶複合層の樹脂は、主成分がＵＶ型硬化樹脂、熱硬化型樹脂、二酸化ケイ素又は前記２種以上の組み合わせをドープしてなることを特徴とする請求項２に記載の無線制御高分子分散液晶スマートウィンドウ。
【請求項１２】
前記第１高分子分散液晶層の厚さは、１μｍから１００μｍであることを特徴とする請求項２に記載の無線制御高分子分散液晶スマートウィンドウ。
【請求項１３】
前記高分子分散液晶複合層の第１軟性フィルム又は第２軟性フィルムの他側面上において、透明接着層により他層の高分子分散液晶複合層に接着することを特徴とする請求項２に記載の無線制御高分子分散液晶スマートウィンドウ。
【請求項１４】
前記透明接着層が光学接着剤であることを特徴とする請求項１３に記載の無線制御高分子分散液晶スマートウィンドウ。
【請求項１５】
前記制御装置は、フレキシブル回路により、該高分子分散液晶複合層と電気接続し、該制御装置は、
該無線受信ユニットと電気接続し、該無線受信ユニットの出力信号を受信するマイクロプロセッサユニットと、
該マイクロプロセッサユニットと電気接続し、表示する情報及びパターンを保存する保存ユニットと、
該マイクロプロセッサユニットと電気接続し、該マイクロプロセッサユニットの出力信号を受信し、該高分子分散液晶複合層を駆動する駆動ユニットと、
該制御装置及び該高分子分散液晶複合層が必要な電力を供給する該電源供給ユニットと、
を含むことを特徴とする請求項２に記載の無線制御高分子分散液晶スマートウィンドウ。
【請求項１６】
前記無線受信ユニットは、無線受信器及び無線受信器が電気接続するデコーダを含むことを特徴とする請求項１５に記載の無線制御高分子分散液晶スマートウィンドウ。
【請求項１７】
前記無線受信器は、赤外線、ブルートゥース（登録商標）プロトコル又は無線電波であることを特徴とする請求項１６に記載の無線制御高分子分散液晶スマートウィンドウ。
【請求項１８】
前記無線発信ユニットは、複数のボタン、該ボタンと電気接続するエンコーダ、該エンコーダと電気接続する無線発信器、及び該エンコーダと電気接続する電源供給器を含むことを特徴とする請求項２に記載の無線制御高分子分散液晶スマートウィンドウ。
【請求項１９】
前記無線発信ユニットは、赤外線、ブルートゥース（登録商標）プロトコル又は無線電波であることを特徴とする請求項１８に記載の無線制御高分子分散液晶スマートウィンドウ。
【考案の詳細な説明】
【技術分野】
【０００１】
本考案は、スマートウィンドウに関し、特に、無線制御及び透光変化を結合したスマートウィンドウ構造に関する。
【背景技術】
【０００２】
従来の高分子分散液晶(Ｐｏｌｙｍｅｒ  Ｄｉｓｐｅｒｓｅｄ  Ｌｉｑｕｉｄ  Ｃｒｙｓｔａｌ  ：  ＰＤＬＣ)は、異方性液晶滴が高分子中に均等に分布することを利用し、典型的には、正の誘電異方性液晶は、常態下で該液晶が環境高分子間に均等に分散し、各該異方性液晶滴は、特定の指向分布を有さず、光透過を利用し、異方性液晶滴を経た光が再射出する光線は、環境高分子屈折率と一致せず、入射光は、多くの界面の存在を受け、光線が激しく散乱し、この時、光透過率は、低く、更に、特定の電場を提供すると、該電場の形成により、正の誘電異方性液晶滴は、電場に沿って順方向に配列し、この時、正の誘電異方性液晶を透過した光は、環境高分子と同一方向に向き、大部分の光は、順方向に透過することができ、光透過率は、従って、電場の提供によって上昇し、このように、不透明な透光構造を透明にし、従って、この機制により、更に、透明導電材料を利用し、例えば、導電ガラスは、ＰＤＬＣをその中にパッケージし、電場の変化（開閉）を利用し、該透光構造に透明又は不透明の変化効果を呈現させることができ、市場ではよくスマートウィンドウ(Ｓｍａｒｔ  Ｗｉｎｄｏｗｓ)と称される。例えば、グリーンエネルギー建材の室外型窓に応用し、遮光制御を行うか、室内のブラインドを行うのに必要な光学透過制御をスマート化することができる。また、近年では、プロセス及び材料の向上により、元々ただ導電ガラスのみを用いてパッケージしていた高分子分散液晶が、軟性導電透明プラスチック材料を利用して該高分子分散液晶材料をパッケージすることもでき、このように、プロセスの利便性を大々的に向上し、関連製品の応用性も向上することができるようになっている。例えば、透明接着技術を更に結合し、該軟性導電プラスチック材料構造を建築ガラス、車窓、冷蔵庫、又は投影壁に貼合して利用することができるなど、応用性が強化されている。
【０００３】
更に透明導電フィルムを利用可能な透明導電層の回路設計により、スマートウィンドウに局部領域の透光制御を行わせることができ、従って、透光制御寄生を改良し、操作利便性を向上することができる。
【考案の概要】
【考案が解決しようとする課題】
【０００４】
これに基づき、本考案の目的は、局部の透光を制御可能なＰＤＬＣ複合層、制御装置、無線受信ユニット及び無線発信装置を結合し、無線制御操作を利用し、該無線制御ＰＤＬＣスマートウィンドウに透光変化の効果を発生させることができ、使用者がリモート操作し、使用者の利便性を向上することができる無線制御高分子分散液晶スマートウィンドウを提供することである。
【０００５】
本考案のもう1つの目的は、ＰＤＬＣ複合層を更に２つの透光装置、例えば、プラスチック又はガラスと更に複合構造に接着する透光構造と結合した無線制御ＰＤＬＣスマートウィンドウを提供することにある。
【課題を解決するための手段】
【０００６】
上記の目的を達成する為、本考案が提供する無線制御高分子分散液晶スマートウィンドウは、高分子分散液晶複合層、制御装置、無線受信ユニット及び無線発信ユニットを含む。該制御装置は、該高分子分散液晶複合層と電気接続する。該無線受信ユニットは、該制御装置と電気接続する。該無線発信ユニットは、該無線受信ユニットと接続する。該無線発信ユニットにより制御命令を操作する信号を発信して該無線発信ユニットが受信し、該無線発信ユニットにより信号を該制御装置に伝送して処理した後、該制御装置により、該高分子分散液晶複合層を駆動し、情報又はパターンを表示する。
【０００７】
本考案の実施例において、該高分子分散液晶複合層は、第１軟性フィルム、第１透明導電層、第２軟性フィルム、第２透明導電層及び高分子分散液晶層を含む。該第１軟性フィルムの一側面に第１硬化層を有する。該第１透明導電層は、該電気的駆動装置と電気接続し、該第１硬化層の一側面上に設けられ、該第１透明導電層は、第１回路領域及び第１接線領域を含む。該第２軟性フィルムの一側面に第２硬化層を有する。該第２透明導電層は、該電気的駆動装置と電気接続し、該第２硬化層の一側面上に設けられ、該第１透明導電層と対応し、該第２透明導電層は、第２回路領域及び第２接線領域を含む。該第１高分子分散液晶複合層は、該第１透明導電層及び該第２透明導電層の間に設けられる。
【０００８】
本考案の実施例において、該第１軟性フィルム、該第２軟性フィルムは、透光プラスチック材料である。
【０００９】
本考案の実施例において、該透光プラスチック材料は、ポリエチレンテレフタレート、ポリエチレン、ポリイミド、ナイロン、ポリウレタン又はアクリルプラスチック材料である。
【００１０】
本考案の実施例において、該第１軟性フィルム、該第２軟性フィルムの厚さは、１０μｍから５００μｍである。
【００１１】
本考案の実施例において、該第１硬化層、該第２硬化層は、アクリル、エポキシ樹脂、二酸化ケイ素又は前記２種以上の材料の組み合わせである。
【００１２】
本考案の実施例において、該第１硬化層、該第２硬化層の厚さは、１μｍから５μｍである。
【００１３】
本考案の実施例において、該第１透明導電層、該第２透明導電層は、無機導体材料又は有機導体材料である。
【００１４】
本考案の実施例において、該有機導体材料は、ナノカーボンチューブ又はポリ−３，４−エチレンジオキシチオフェンをドープした導電材料である。
【００１５】
本考案の実施例において、該第１透明導電層、該第２透明導電層の厚さは、５μｍから５０μｍである。
【００１６】
本考案の実施例において、該第１高分子分散液晶複合層の樹脂は、主成分がＵＶ型硬化樹脂、熱硬化型樹脂、二酸化ケイ素又は前記２種以上の組み合わせをドープしてなる。
【００１７】
本考案の実施例において、該第１高分子分散液晶層の厚さは、１μｍから１００μｍである。
【００１８】
本考案の実施例において、該高分子分散液晶複合層の第１軟性フィルム又は第２軟性フィルムの他側面上において、透明接着層により他層の高分子分散液晶複合層に接着する。
【００１９】
本考案の実施例において、該透明接着層が光学接着剤である。
【００２０】
本考案の実施例において、該制御装置は、フレキシブル回線により、該高分子分散液晶複合層と電気接続し、該制御装置は、マイクロプロセッサユニット、保存ユニット、駆動ユニット及び電源供給ユニットを含む。該マイクロプロセッサユニットは、該無線受信ユニットと電気接続し、該無線受信ユニットの出力信号を受信する。該保存ユニットは、該マイクロプロセッサユニットと電気接続し、表示する情報及びパターンを保存する。該駆動ユニットは、該マイクロプロセッサユニットと電気接続し、該マイクロプロセッサユニットの出力信号を受信し、該高分子分散液晶複合層を駆動する。該電源供給ユニットは、該制御装置及び該高分子分散液晶複合層が必要な電力を供給する。
【００２１】
本考案の実施例において、該無線受信ユニットは、無線受信器及び無線受信器が電気接続するデコーダを含む。
【００２２】
本考案の実施例において、該無線受信器は、赤外線、ブルートゥース（登録商標）プロトコル又は無線電波である。
【００２３】
本考案の実施例において、該無線発信ユニットは、複数のボタン、該ボタンと電気接続するエンコーダ、該エンコーダと電気接続する無線発信器、及び該エンコーダと電気接続する電源供給器を含む。
【００２４】
本考案の実施例において、該無線発信ユニットは、赤外線、ブルートゥース（登録商標）プロトコル又は無線電波である。
【考案の効果】
【００２５】
本考案の無線制御高分子分散液晶スマートウィンドウは、局部の透光を制御可能なＰＤＬＣ複合層、制御装置、無線受信ユニット及び無線発信装置を結合し、無線制御操作を利用し、該無線制御ＰＤＬＣスマートウィンドウに透光変化の効果を発生させることができ、使用者がリモート操作し、使用者の利便性を向上することができる。
【図面の簡単な説明】
【００２６】
【図１】本考案の無線制御高分子分散液晶（ＰＤＬＣ）スマートウィンドウの第１実施例の説明図である。
【図２】図１の第１軟性フィルムの俯瞰説明図である。
【図３】図１の第２軟性フィルムの俯瞰説明図である。
【図４】本考案の無線制御高分子分散液晶（ＰＤＬＣ）スマートウィンドウの第２実施例の説明図である。
【図５】本考案の無線制御高分子分散液晶スマートウィンドウの第３実施例の説明図である。
【図６】図５の具体回路ブロック説明図である。
【考案を実施するための形態】
【００２７】
本考案の技術内容及び詳細について、図面を合わせ、以下に説明する。
【００２８】
図１から図３を参照し、それは、本考案の無線制御高分子分散液晶スマートウィンドウの第１実施例及び図１の第１軟性フィルム及び該第２軟性フィルムの俯瞰説明図である。図に示すように、本考案の無線制御高分子分散液晶（Ｐｏｌｙｍｅｒ  Ｄｉｓｐｅｒｓｅｄ  Ｌｉｑｕｉｄ  Ｃｒｙｓｔａｌ  ：  ＰＤＬＣ）スマートウィンドウは、第１軟性フィルム１、第２軟性フィルム２、第１透明導電層３、第２透明導電層４及び高分子分散液晶（ＰＤＬＣ）層５を含む局部透光を制御可能な１つ以上の高分子分散液晶複合層１０を少なくとも含む。
【００２９】
該第１軟性フィルム１及び該第２軟性フィルム２は、透光プラスチック材料であり、該透光プラスチック材料は、ポリエチレンテレフタレート（Ｐｏｌｙｅｔｈｙｌｅｎｅ  Ｔｅｒｅｐｈｔｈａｌａｔｅ  ：  ＰＥＴ）、ポリエチレン(Ｐｏｌｙｅｔｈｙｌｅｎｅ  ：  ＰＥ）、ポリイミド(Ｐｏｌｙｉｍｉｄｅ  ：  ＰＩ)、ナイロン(Ｎｙｌｏｎ、Ｐｏｌｙａｍｉｄｅ、ＰＡは、ポリアミド重合体)、ポリウレタン (Ｐｏｌｙｕｒｅｔｈａｎｅｓ  ：  ＰＵ）又はアクリルプラスチック材料等であり、該第１軟性プラスチック材料１及び該第２プラスチック材料２の厚さは、１０μｍから５００μｍであることが好ましい。また、該第１軟性フィルム１及び該第２軟性フィルム２の一側面に硬化処理を行い、第１硬化層１１及び第２硬化層２１を形成し、該第１硬化層１１及び該第２硬化層２１が使用する材料は、アクリル、エポキシ樹脂、二酸化ケイ素、又は前記２種以上の材料の組み合わせであり、且つ該第１硬化層１１及び第２硬化層２１の厚さは、５００ｎｍから５０μｍであり、該第１硬化層１１及び該第２硬化層２１の厚さ１μｍから５μｍであることが好ましい。
【００３０】
該第１透明導電層３は、該第１硬化層１１の一側面に設けられ、該第１透明導電層３は、透光率が７０％から９５％の無機導電材料の金属又は金属酸化物、例えば、銀、ナノ銀、インジウム錫酸化物（Ｉｎｄｉｕｍ  Ｔｉｎ  Ｏｘｉｄｅ  ：  ＩＴＯ）又は有機導体材料のナノカーボンチューブ又はポリ−３，４−エチレンジオキシチオフェン（Ｐｏｌｙ−３，４−Ｅｔｈｙｌｅｎｅｄｉｏｘｙｔｈｉｏｐｈｅｎｅ  ：  ＰＥＤＯＴ）をドープした導電材料を使用し、乾式又は湿式エッチングを経て第１回路領域３１及び第１接線領域３２を形成し、且つその厚さは、５ｎｍから５０μｍであり、該厚さが１００ｎｍから１０μｍであることが好ましい。
【００３１】
該第２透明導電層４は、該第２硬化層２１の一側面上に設けられ、該第１透明導電層３と対応し、該第２透明導電層４は、透光率が７０％から９５％の無機導体材料の金属又は金属酸化物、例えば、銀、インジウム錫酸化物（ＩＴＯ）又は有機導体材料のナノカーボンチューブ又はポリ−３，４−エチレンジオキシチオフェン（ＰＥＤＯＴ）をドープした導電材料を使用し、乾式又は湿式エッチングを経て第２回路領域４１及び第２接線領域４２を形成し、且つその厚さは、５ｎｍから５０μｍであり、該厚さが１００ｎｍから１０μｍであることが好ましい。
【００３２】
該ＰＤＬＣ層５は、該第１透明導電層３及び該第２透明導電層４の間に設けられ、且つその厚さは、１μｍから１００μｍである。該第１ＰＤＬＣ層５は、導電後の透光率５０％から８０％及び屈折率１．５から５．５のＰＤＬＣ樹脂を主成分として使用し、ＵＶ型硬化樹脂、熱硬化樹脂、二酸化ケイ素又は前記２種以上の組み合わせをドープしてなる。
【００３３】
図４を参照し、それは、本考案の無線制御高分子分散液晶スマートウィンドウの第２実施例の説明図である。図に示すように、本実施例は、図１とほぼ同じであり、異なる箇所は、該ＰＤＬＣ複合層１０の第１軟性フィルム１又は第２軟性フィルム２の他側面上において、透明複合層２０により、他層のＰＤＬＣ複合層１０aを接着し、該ＰＤＬＣ複合層１０ａは、該ＰＤＬＣ複合層１０と構造が同じであり、複数層が表示するＰＤＬＣスマートウィンドウを形成する。本図面において、該透明接着層２０は、光学接着剤（Ｏｐｔｉｃａｌ  Ｃｌｅａｒ  Ａｄｈｅｓｉｖｅ  ：  ＯＣＡ）である。
【００３４】
図５及び図６を参照し、それは、本考案の無線制御高分子分散液晶スマートウィンドウの第３実施例及び図５の詳細回路のブロック説明図である。図１を同時に参照する。図に示すように、本考案の無線制御高分子分散液晶スマートウィンドウは、ＰＤＬＣ複合層１０、制御装置３０、無線受信ユニット４０及び無線発信ユニット５０を含む。
【００３５】
該ＰＤＬＣ複合層１０の構造は、上記に説明したとおりであり、ここでは再度記載せず、該第１透明導電層３の第１接線領域３２及び該第２透明導電層４の第２接線領域４２において、フレキシブル回路６に接続し、該フレキシブル回路６は、該制御装置３０と電気接続する。本図面において、該フレキシブル回路６は、ソフトボードである。
【００３６】
該制御装置３０は、マイクロプロセッサユニット３０１、保存ユニット３０２、駆動ユニット３０３及び電源供給ユニット３０４を含む。該第１電源供給ユニット３０４は、該制御装置３０及びＰＤＬＣ複合層１０が必要な電力を供給する。該マイクロプロセッサユニット３０１は、該無線受信ユニット４０が受信した信号を受信し、該マイクロプロセッサユニット３０１の処理を経た後、ＰＤＬＣ複合層１０に表示する情報を保存ユニット３０２中に保存し、該ＰＤＬＣ複合層１０が信号を表示する時、該マイクロプロセッサユニット３０１が該保存ユニット３０２中から信号を読み取った後、該駆動ユニット３０３を経て該ＰＤＬＣ複合層１０を駆動し、信号の表示を行う。本図面において、該保存ユニット３０２は、メモリである。
【００３７】
該無線受信ユニット４０は、無線受信器４０１及び無線受信器４０１と電気接続するデコータ４０２を内蔵し、該デコータ４０２は、該制御ユニット３０のマイクロプロセッサユニット３０１と電気接続し、該無線発信ユニット５０が伝送する信号を受信し、デコーディングを行う。本図面において、該無線受信器４０１は、赤外線、ブルートゥース（登録商標）プロトコル、無線電波等の無線伝送プロトコルで無線信号の対応受信を行うものである。
【００３８】
該無線発信ユニット５０は、複数のボタン５０１、エンコーダ５０２、無線発信器５０３及び電源供給器５０４から構成され、該電源供給器により該無線発信ユニット５０が必要な電力を供給し、該ボタン５０１により、制御命令の入力又は操作を行った後、エンコーダ５０２のエンコーディングを経た後、該無線発信器５０３から発信して該無線受信ユニット４０が受信する。本図面において、該無線発信ユニット５０は、赤外線、ブルートゥース（登録商標）プロトコル、無線電波等の無線伝送プロトコルで無線信号の対応発送を行うリモートコントローラである。
【００３９】
本考案の無線制御高分子分散液晶スマートウィンドウの使用時、該無線発信ユニット５０上の該ボタン５０１により「ようこそ」のメッセージを入力した後、該無線発信ユニット５０から発信し、該無線受信ユニット４０が受信した後、無線受信ユニット４０から該制御装置３０に伝送し、該制御装置３０のマイクロプロセッサユニット３０１の処理を経た後、メッセージを保存ユニット３０２中に保存し、同時に該駆動ユニット３０３を駆動し、メッセージを該ＰＤＬＣ複合層１０中に伝送し、該第１透明導電層３及び該第２透明導電層４を経てＰＤＬＣ層５を駆動し、該ＰＤＬＣ複合層１０に「ようこそ」のメッセージを表示させる。
【００４０】
更に、該無線発信ユニット５０を利用して操作命令を直接入力して発信し、該無線受信ユニット４０が受信し、該制御装置３０に伝送した後、該マイクロプロセッサユニット３０１が該操作命令を受信した後、該保存ユニット３０２から予め該保存ユニット３０２内部に保存したメッセージを読み取り、該駆動ユニット３０３を経てＰＤＬＣ層５を駆動し、該ＰＤＬＣ複合層１０に内蔵する情報を表示させる。本図面において、該メッセージは、情報又はパターンである。
【００４１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００４２】
１０、１０ａ  高分子分散液晶複合層
１  第１軟性フィルム
１１  第１硬化層
２  第２軟性フィルム
２１  第２硬化層
３  第１透明導電層
３１  第１回路領域
３２  第１接線領域
４  第２透明導電層
４１  第２回路領域
４２  第２接線領域
５  第１高分子分散液晶層
６  フレキシブル回路
２０  透明接着層
３０  制御装置
３０１  マイクロプロセッサユニット
３０２  保存ユニット
３０３  駆動ユニット
３０４  電源供給ユニット
４０  無線受信ユニット
４０１  無線受信器
４０２  デコーダ
５０  無線発信ユニット
５０１  ボタン
５０２  エンコーダ
５０３  無線発信器
５０４  電源供給器
【図１】
0003208937.tif 000003
【図２】
0003208937.tif 000004
【図３】
0003208937.tif 000005
【図４】
0003208937.tif 000006
【図５】
0003208937.tif 000007
【図６】
0003208937.tif 000008
【手続補正書】
【提出日】平成28年12月7日(2016.12.7)
【手続補正１】
【補正対象書類名】明細書
【補正対象項目名】０００６
【補正方法】変更
【補正の内容】
【０００６】
上記の目的を達成する為、本考案が提供する無線制御高分子分散液晶スマートウィンドウは、高分子分散液晶複合層、制御装置、無線受信ユニット及び無線発信ユニットを含む。該制御装置は、該高分子分散液晶複合層と電気接続する。該無線受信ユニットは、該制御装置と電気接続する。該無線発信ユニットは、該無線受信ユニットと接続する。該無線発信ユニットにより制御命令を操作する信号を発信して該無線受信ユニットが受信し、該無線受信ユニットにより信号を該制御装置に伝送して処理した後、該制御装置により、該高分子分散液晶複合層を駆動し、情報又はパターンを表示する。
【手続補正２】
【補正対象書類名】明細書
【補正対象項目名】０００７
【補正方法】変更
【補正の内容】
【０００７】
本考案の実施例において、該高分子分散液晶複合層は、第１軟性フィルム、第１透明導電層、第２軟性フィルム、第２透明導電層及び高分子分散液晶複合層を含む。該第１軟性フィルムの一側面に第１硬化層を有する。該第１透明導電層は、前記制御装置と電気接続し、該第１硬化層の一側面上に設けられ、該第１透明導電層は、第１回路領域及び第１接線領域を含む。該第２軟性フィルムの一側面に第２硬化層を有する。該第２透明導電層は、前記制御装置と電気接続し、該第２硬化層の一側面上に設けられ、該第１透明導電層と対応し、該第２透明導電層は、第２回路領域及び第２接線領域を含む。該第１高分子分散液晶複合層は、該第１透明導電層及び該第２透明導電層の間に設けられる。
【手続補正３】
【補正対象書類名】明細書
【補正対象項目名】００１７
【補正方法】変更
【補正の内容】
【００１７】
本考案の実施例において、該第１高分子分散液晶複合層の厚さは、１μｍから１００μｍである。
【手続補正４】
【補正対象書類名】実用新案登録請求の範囲
【補正対象項目名】全文
【補正方法】変更
【補正の内容】
【実用新案登録請求の範囲】
【請求項１】
１つ以上の高分子分散液晶複合層と、
該高分子分散液晶複合層と電気接続する制御装置と、
該制御装置と電気接続する無線受信ユニットと、
該無線受信ユニットと接続する無線発信ユニットと、
を含み、そのうち、該無線発信ユニットにより、制御命令を操作する信号を発信して該無線受信ユニットが受信し、該無線受信ユニットにより信号を該制御装置に伝送して処理した後、該制御装置により、該高分子分散液晶複合層を駆動し、情報又はパターンを表示することを特徴とする無線制御高分子分散液晶スマートウィンドウ。
【請求項２】
前記高分子分散液晶複合層は、
一側面に第１硬化層を有する第１軟性フィルムと、
前記制御装置と電気接続し、該第１硬化層の一側面に設けられ、第１回路領域及び第１接線領域を含む第１透明導電層と、
一側面に第２硬化層を有する第２軟性フィルムと、
前記制御装置と電気接続し、該第２硬化層の一側面に設けられ、該第１透明導電層と対応し、第２回路領域及び第２接線領域を含む第２透明導電層と、
該第１透明導電層及び該第２透明導電層の間に設けられる第１高分子分散液晶複合層と、
を含むことを特徴とする請求項１に記載の無線制御高分子分散液晶スマートウィンドウ。
【請求項３】
前記第１軟性フィルム、該第２軟性フィルムは、透光プラスチック材料であることを特徴とする請求項２に記載の無線制御高分子分散液晶スマートウィンドウ。
【請求項４】
前記透光プラスチック材料は、ポリエチレンテレフタレート、ポリエチレン、ポリイミド、ナイロン、ポリウレタン又はアクリルプラスチック材料であることを特徴とする請求項３に記載の無線制御高分子分散液晶スマートウィンドウ。
【請求項５】
前記第１軟性フィルム、該第２軟性フィルムの厚さは、１０μｍから５００μｍであることを特徴とする請求項２に記載の無線制御高分子分散液晶スマートウィンドウ。
【請求項６】
前記第１硬化層、該第２硬化層は、アクリル、エポキシ樹脂、二酸化ケイ素又は前記２種以上の材料の組み合わせであることを特徴とする請求項２に記載の無線制御高分子分散液晶スマートウィンドウ。
【請求項７】
前記第１硬化層、該第２硬化層の厚さは、１μｍから５μｍであることを特徴とする請求項２に記載の無線制御高分子分散液晶スマートウィンドウ。
【請求項８】
前記第１透明導電層、該第２透明導電層は、無機導体材料又は有機導体材料であることを特徴とする請求項２に記載の無線制御高分子分散液晶スマートウィンドウ。
【請求項９】
前記有機導体材料は、ナノカーボンチューブ又はポリ−３，４−エチレンジオキシチオフェンをドープした導電材料であることを特徴とする請求項８に記載の無線制御高分子分散液晶スマートウィンドウ。
【請求項１０】
前記第１透明導電層、該第２透明導電層の厚さは、５μｍから５０μｍであることを特徴とする請求項２に記載の無線制御高分子分散液晶スマートウィンドウ。
【請求項１１】
前記第１高分子分散液晶複合層の樹脂は、主成分がＵＶ型硬化樹脂、熱硬化型樹脂、二酸化ケイ素又は前記２種以上の組み合わせをドープしてなることを特徴とする請求項２に記載の無線制御高分子分散液晶スマートウィンドウ。
【請求項１２】
前記第１高分子分散液晶複合層の厚さは、１μｍから１００μｍであることを特徴とする請求項２に記載の無線制御高分子分散液晶スマートウィンドウ。
【請求項１３】
前記高分子分散液晶複合層の第１軟性フィルム又は第２軟性フィルムの他側面上において、透明接着層により他層の高分子分散液晶複合層に接着することを特徴とする請求項２に記載の無線制御高分子分散液晶スマートウィンドウ。
【請求項１４】
前記透明接着層が光学接着剤であることを特徴とする請求項１３に記載の無線制御高分子分散液晶スマートウィンドウ。
【請求項１５】
前記制御装置は、フレキシブル回路により、該高分子分散液晶複合層と電気接続し、該制御装置は、
該無線受信ユニットと電気接続し、該無線受信ユニットの出力信号を受信するマイクロプロセッサユニットと、
該マイクロプロセッサユニットと電気接続し、表示する情報及びパターンを保存する保存ユニットと、
該マイクロプロセッサユニットと電気接続し、該マイクロプロセッサユニットの出力信号を受信し、該高分子分散液晶複合層を駆動する駆動ユニットと、
該制御装置及び該高分子分散液晶複合層が必要な電力を供給する電源供給ユニットと、
を含むことを特徴とする請求項２に記載の無線制御高分子分散液晶スマートウィンドウ。
【請求項１６】
前記無線受信ユニットは、無線受信器及び無線受信器が電気接続するデコーダを含むことを特徴とする請求項１５に記載の無線制御高分子分散液晶スマートウィンドウ。
【請求項１７】
前記無線受信器は、赤外線、ブルートゥース（登録商標）プロトコル又は無線電波であることを特徴とする請求項１６に記載の無線制御高分子分散液晶スマートウィンドウ。
【請求項１８】
前記無線発信ユニットは、複数のボタン、該ボタンと電気接続するエンコーダ、該エンコーダと電気接続する無線発信器、及び該エンコーダと電気接続する電源供給器を含むことを特徴とする請求項２に記載の無線制御高分子分散液晶スマートウィンドウ。
【請求項１９】
前記無線発信ユニットは、赤外線、ブルートゥース（登録商標）プロトコル又は無線電波であることを特徴とする請求項１８に記載の無線制御高分子分散液晶スマートウィンドウ。